【事件の表示】
　特願２０１８−２１７０２６「読取り機器に情報を伝達するためのＲＦＩＤトランスポンダに基づくモジュール」拒絶査定不服審判事件〔令和　１年　７月　４日出願公開，特開２０１９−１０９８８３〕について，次のとおり審決する。
【結　論】
　本件審判の請求は，成り立たない。
【理　由】
第１　手続の経緯
　　　
　本願は，平成３０年１１月２０日（パリ条約による優先権主張　２０１７年１２月１５日（以下，「優先日」という。）　欧州）の出願であって，令和１年１２月９日付けで拒絶理由が通知され，これに対して令和２年２月５日に意見書が提出されるとともに手続補正がなされたが，令和２年６月２日付けで拒絶査定がなされ（以下，「原査定」という。），これに対して令和２年１０月１６日に審判請求がなされたものである。
　　　
　　　
第２　本願発明
　　　
　本願の請求項１に係る発明（以下，これを「本願発明」という。）は，令和２年２月５日付けで提出された，次のとおりのものである。
「読取り機器（３、３’）により送信され、トランスポンダに基づくモジュール（２）により受信される問合せ信号に基づき、移動する対象物（１０）に装着されることを意図され、前記読取り機器（３、３’）の近傍で情報を送信するように設計された前記トランスポンダに基づくモジュール（２）であって、
　−前記トランスポンダに基づくモジュール（２）の電力供給のためにエネルギーを提供するための少なくとも１つのエネルギー源（４）と、
　−少なくとも１つの物理的パラメータの１つまたは複数の測定を遂行するための少なくとも１つのセンサ（５）と、
　−前記センサ（５）の１つまたは複数の測定値を受信するために前記センサ（５）に連結されたマイクロコントローラ（２２）と、
　−前記センサ（５）により遂行され、かつ記憶するために前記マイクロコントローラ（２２）で処理された、前記１つまたは複数の測定の測定データを少なくとも１つのメモリに記憶するためのメモリユニット（２１）と、
　−前記トランスポンダに基づくモジュール（２）が前記読取り機器（３、３’）の近傍に配置されたとき、前記読取り機器（３、３’）から少なくとも１つの問合せ信号を受信するように設計された受信機（２５）と、
　−前記読取り機器の前記問合せに基づき、記憶された前記測定データを送信するように設計された送信機（２３）と
　を備え、
　前記センサ（５）が連続的に動作し、
　時間をかけて前記センサ（５）が遂行する前記測定を統制するために、ＲＣタイプまたはリングタイプの発振器である低周波内部発振器により前記マイクロコントローラ（２２）を統制し、これらの測定値を、低電力モードで各測定値の時間の指示付きで前記メモリユニット（２１）に記憶すること、および
　前記送信機（２３）は、近傍にある前記読取り機器の前記問合せ信号を前記受信機（２５）が受信した後に活動化されると、極超短波で、かつ非常に高いビットレートで、記憶された前記測定データの信号を送信するように設計されること
　を特徴とするトランスポンダに基づくモジュール（２）。」
　　　
　　　
第３　原査定の拒絶の理由
　　　
　原査定の拒絶の理由は，
この出願の請求項１ないし１９に係る発明は，本願の優先日前に日本国内又は外国において，頒布された又は電気通信回線を通じて公衆に利用可能となった下記の引用文献１ないし２に記載された事項に基づいて，その優先日前にその発明の属する技術の分野における通常の知識を有する者が容易に発明をすることができたものであるから，特許法２９条２項の規定により特許を受けることができない，というものである。
引用文献１：特開２０１６−８５７３７号公報　
引用文献２：特表２０１２−５０３３５４号公報　
　　　
　　　
第４　引用文献の記載及び引用発明
１　引用文献１の記載
（１）本願の優先日前に頒布又は電気通信回線を通じて公衆に利用可能となり，原査定の拒絶の理由で引用された，特開２０１６−８５７３７号公報（以下，「引用文献１」という。）には，図面とともに以下の事項が記載されている。（下線は，当審において付加した。以下，同じ。）
　　　
ア　「【発明が解決しようとする課題】
【０００７】
橋やトンネルなどの建造物の損傷評価のように、測定箇所が膨大な場合、パッシブタグを用いた測定では、常に、無線信号を供給するリーダーを現地まで運ぶ必要があり不便である。
【０００８】
また、心拍数や脈拍などの生体情報の監視など、測定頻度が高い場合、パッシブタグを用いた測定では、常に、無線信号を供給するリーダーをタグの近くに配置する必要があり不便である。
【０００９】
また、センシングで取得したデータを表示させるために、タグに表示装置を設けた場合、無線信号によって得られる電力だけでは、表示装置を駆動できない場合が多い。
【００１０】
本発明の一態様は、無線信号が供給されない場合でもセンシングが可能な半導体装置の提供を課題の一とする。無線信号が供給されない場合でも情報を表示することが可能な半導体装置の提供を課題の一とする。
本発明の一態様は、消費電力が少ない半導体装置の提供を課題の一とする
イ　「【００６０】
（実施の形態１）
本発明の一態様の半導体装置の構成について、図１乃至図５を用いて説明する。
【００６１】
〈半導体装置１の構成例〉
図１に示す半導体装置１は、アンテナ１０と、バッテリ１３と、論理回路１８と、センサ１９と、アナログメモリ２０と、ＡＤＣ（アナログデジタルコンバーター）２２と、を有している
【００６２】
アンテナ１０は、無線信号を電気信号に、または電気信号を無線信号にして
リーダー
と信号の送受信を行う機能を有する
【００６３】
無線信号の周波数帯は、
９００ＭＨｚ帯のＵＨＦ帯
を用いることができる
【００６４】
アンテナ１０は、無線信号ＲＦを受信して、半導体装置１の各回路に電力を供給する機能を有する。アンテナ１０から供給された電力は電圧ＶＤＤを有する。
【００６５】
バッテリ１３は、電圧ＶＤＤにより充電し、電圧ＶＢＡＴとして放電する機能を有する
電圧ＶＢＡＴは、半導体装置１が有する各回路に供給される
【００６６】
センサ１９は、感知したデータを信号ＳＳＮＳとして出力する機能を有する
信号ＳＳＮＳはアナログデータである
【００６７】
アナログメモリ２０は、センサ１９が感知したアナログデータを記憶し、信号ＳＡＭとして出力する機能を有する
【００６８】
ＡＤＣ２２は、アナログメモリ２０に記憶されたアナログデータを、デジタルデータに変換し、信号ＳＡＤＣとして出力する機能を有する
【００６９】
論理回路１８は、半導体装置１が有する各回路を制御する機能を有する
また、論理回路１８は、無線信号ＲＦに含まれるコマンドを実行する機能を有する
論理回路１８は、ＡＤＣ２２から信号ＳＡＤＣを受け取り、アンテナ１０に出力する機能を有する
　　　　　　　　　　　　　・・・中略・・・
【００８０】
半導体装置１のさらに詳細な構成例について、図２を用いて説明を行う。
【００８１】
図２に示す半導体装置１は、図１に示す半導体装置１に、整流回路１１と、定電圧回路１２と、発振回路１４と、発振回路１５と、クロック制御回路１６と、電源制御回路１７と、復調回路２３と、変調回路２４と、を追加したものである
【００８２】
整流回路１１は、アンテナ１０からの電気信号を整流及び平滑化する機能を有する回路である。整流及び平滑化された信号は、定電圧回路１２に出力される。
【００８３】
なお整流回路１１は、保護回路（リミッター回路）を有していてもよい。保護回路は、アンテナ１０からの電気信号が大電圧の場合に半導体装置１の各回路が破壊されることを防止する機能を有する。
【００８４】
定電圧回路１２は、整流回路１１が出力した電圧を基に電圧を生成する機能を有する回路である。定電圧回路１２で生成される電圧ＶＤＤは、半導体装置１が有する各回路に与えられる。なお、定電圧回路１２が生成する電圧は、一つに限らず複数であってもよい。
【００８５】
また、図示されていないが、電圧ＶＢＡＴを安定させる目的で、バッテリ１３にも定電圧回路を設けても良い。
【００８６】
発振回路１４は、クロック信号ＣＬＫ１を生成する機能を有する
発振回路１４は、電圧ＶＤＤによって駆動する
発振回路１４は、
リングオシレータ―でクロック信号ＣＬＫ１を生成してもよい
【００８７】
発振回路１５は、クロック信号ＣＬＫ２を生成する機能を有する
発振回路１５は、電圧ＶＤＤまたは電圧ＶＢＡＴによって駆動する
発振回路１５は、
リングオシレータ―でクロック信号ＣＬＫ２を生成してもよい
【００８８】
また、発振回路１５は、時刻を表すデータを生成する機能を有する。
【００８９】
クロック制御回路１６は、論理回路１８、アナログメモリ２０及びＡＤＣ２２に入力されるクロック信号を制御する機能を有する。より具体的には、クロック制御回路１６は、信号ＳＣＬＫ＿ＣＯＮを生成し、スイッチ４１乃至４６のオン・オフを制御する機能を有する。
【００９０】
電源制御回路１７は、論理回路１８、センサ１９、アナログメモリ２０及びＡＤＣ２２に供給される電力を制御する機能を有する。より具体的には、電源制御回路１７は、信号ＳＰＯＷ＿ＣＯＮを生成し、スイッチ３１乃至３８のオン・オフを制御する機能を有する。
【００９１】
また、アナログメモリ２０は、アナログデータが記憶される複数のアドレスＡＭ［ｋ−１］（ｋは１以上の自然数）を有する。
【００９２】
復調回路２３は、アンテナ１０からの電気信号を復調する機能を有する回路である
復調された信号は、論理回路１８に出力される
【００９３】
変調回路２４は、論理回路１８で生成された信号に基づいて、電気信号を変調する機能を有する回路である
変調された電気信号は、搬送波によって、アンテナ１０を介して無線信号ＲＦとして送信される
　　　
ウ　「【００９４】
〈半導体装置１の動作例〉
次に、半導体装置１の動作の一例について、図３を用いて説明を行う。
【００９５】
図３は、半導体装置１の動作例を示したタイミングチャートである
【００９６】
図３では、アドレスＡＭ［０］及びアドレスＡＭ［１］の動作例のみを示しているが、アナログメモリ２０が有する他のアドレスの動作についても同様に説明することが可能である。
【００９７】
図３に示す時刻Ｔ１乃至Ｔ１３は、動作のタイミングを示すために付したものである
【００９８】
また、時刻Ｔ１乃至Ｔ２で表される期間を期間Ｐ１とし、時刻Ｔ２乃至Ｔ７で表される期間を期間Ｐ２とし、時刻Ｔ７乃至Ｔ１３で表される期間を期間Ｐ３とした
【００９９】
期間Ｐ１において、半導体装置１は、無線信号ＲＦが供給され
【０１００】
また、
期間Ｐ１において、半導体装置１の各回路は、定電圧回路１２で生成された電圧ＶＤＤで駆動する
期間Ｐ１において、半導体装置１の各回路は、発振回路１４で生成されたクロック信号ＣＬＫ１が与えられる
【０１０１】
期間Ｐ２において、半導体装置１は、センサ１９によるセンシングを行い、取得したデータをアナログメモリ２０に格納する。
【０１０２】
また、
期間Ｐ２において、半導体装置１の各回路は、バッテリ１３で生成された電圧ＶＢＡＴで駆動する
期間Ｐ２において、半導体装置１の各回路は、発振回路１５で生成されたクロック信号ＣＬＫ２が与えられる
クロック信号ＣＬＫ２はクロック信号ＣＬＫ１と比べて周波数が低いため、半導体装置１は、低消費電力で駆動し、バッテリ１３の電力を節約することが可能になる
【０１０３】
期間Ｐ３において、半導体装置１は再び無線信号ＲＦが供給される
この時、半導体装置１は、アナログメモリ２０に格納したデータをＡＤＣ２２によってデジタルデータに変換し、搬送波に乗せて無線信号ＲＦとして送信する
【０１０４】
また、期間Ｐ３において、半導体装置１の各回路は、定電圧回路１２で生成された電圧ＶＤＤで駆動する
また、期間Ｐ３において、半導体装置１の各回路は、発振回路１４で生成されたクロック信号ＣＬＫ１が与えられる
クロック信号ＣＬＫ１はクロック信号ＣＬＫ２と比べて周波数が高いため、半導体装置１は、ＡＤＣ２２のように高速動作が必要な回路を駆動することが可能になる
　　　　　　　　　　　・・・中略・・・
【０１１６】
次に、時刻Ｔ３において、信号ＳＰＯＷ＿ＣＯＮとして信号Ａ３が与えられる。その結果、論理回路１８、センサ１９及びアナログメモリ２０に電圧ＶＢＡＴが供給され、ＡＤＣ２２はオフになる
【０１１７】
信号ＳＣＬＫ＿ＣＯＮとして信号Ｂ３が与えられる。その結果、論理回路１８及びアナログメモリ２０にクロック信号ＣＬＫ２が入力され、ＡＤＣ２２に対してクロック信号の入力が停止する
【０１１８】
この時に、センサ１９はセンシングを開始し、取得された信号ＳＳＮＳは、アナログメモリ２０のアドレスＡＭ［０］に記憶される
【０１１９】
次に、時刻Ｔ４において、センサ１９はセンシングを終了する
【０１２０】
信号ＳＰＯＷ＿ＣＯＮとして信号Ａ４が与えられる。論理回路１８、センサ１９、アナログメモリ２０及びＡＤＣ２２はオフになる（表１）。
【０１２１】
信号ＳＣＬＫ＿ＣＯＮとして信号Ｂ４が与えられる。論理回路１８、アナログメモリ２０及びＡＤＣ２２に対して、クロック信号の入力が停止する（表２）。
【０１２２】
アナログメモリ２０は不揮発性メモリであるため、アドレスＡＭ［０］に記憶されたデータは、電源が遮断された状態でも、保持され続ける。
【０１２３】
次に、時刻Ｔ５において、信号ＳＰＯＷ＿ＣＯＮとして信号Ａ５が与えられる。その結果、論理回路１８、センサ１９及びアナログメモリ２０に電圧ＶＢＡＴが供給され、ＡＤＣ２２はオフになる
【０１２４】
信号ＳＣＬＫ＿ＣＯＮとして信号Ｂ５が与えられる。その結果、論理回路１８及びアナログメモリ２０にクロック信号ＣＬＫ２が入力され、ＡＤＣ２２に対してクロック信号の入力が停止する
【０１２５】
この時に、センサ１９はセンシングを開始し、取得された信号ＳＳＮＳは、アナログメモリ２０のアドレスＡＭ［１］に記憶される
【０１２６】
次に、時刻Ｔ６において、センサ１９はセンシングを終了する
　　　
エ　「【０１４８】
〈半導体装置２の構成例〉
次に、本発明の一態様の半導体装置の別の構成例について図４を用いて説明を行う。
【０１４９】
図４に示す半導体装置２は、図２に示す半導体装置１にデジタルメモリ２１を追加したものである
【０１５０】
また、デジタルメモリ２１は、デジタルデータが記憶される複数のアドレスＤＭ［ｋ−１］（ｋは１以上の自然数）を有する。
【０１５１】
デジタルメモリ２１は、センサ１９がセンシングを行った時刻を、デジタルデータ（時刻データ）として記憶する機能を有する
【０１５２】
例えば、デジタルメモリ２１は、不揮発性メモリを用いることが好ましい。不揮発性メモリとしては、例えば、フラッシュメモリの他、強誘電体メモリ（ＦｅＲＡＭ）、磁気抵抗メモリ（ＭＲＡＭ）、相変化メモリ（ＰＲＡＭ）、抵抗変化型メモリ（ＲｅＲＡＭ）等を用いることができる。また、デジタルメモリ２１は、酸化物半導体を用いた不揮発性メモリを用いることが好ましい。なお、酸化物半導体を用いた不揮発性メモリの詳細は、実施の形態２で説明を行う。
【０１５３】
なお、半導体装置２が有する他の構成要素の詳細については、半導体装置１の記載を参照すればよい。」
　　　
オ　「【０１５４】
〈半導体装置２の動作例〉
半導体装置２の動作の一例について、図５のタイミングチャート
【０１５５】
図５のタイミングチャートは、図３の半導体装置１のタイミングチャートに、デジタルメモリのアドレスＤＭ［０］及びＤＭ［１］の電位を追加したものである
【０１５６】
図５では、アドレスＤＭ［０］及びアドレスＤＭ［１］の動作例のみを示しているが、デジタルメモリ２１が有する他のアドレスの動作についても同様に説明することが可能である。
【０１５７】
アドレスＡＭ［０］に信号ＳＳＮＳが書き込まれたと同時に、アドレスＤＭ［０］に、時刻データが書き込まれ、アドレスＡＭ［１］に信号ＳＳＮＳが書き込まれたと同時に、アドレスＤＭ［１］に、時刻データが書き込まれる
【０１５８】
デジタルメモリに書き込まれたデータは、期間Ｐ３の間に、搬送波に乗せられ、無線信号ＲＦとして送信される。
【０１５９】
その他の図５のタイミングチャートの詳細は、図３のタイミングチャートの記載を参照すればよい
　　　　　　　　　　　　　　　　・・・中略・・・
【０１６４】
例えば、
心拍数や脈拍などの生体情報
上述の半導体装置を用いて測定を行えば、データをまとめて読み出すときだけ、リーダーを用意すれば良い
カ　「図２
　　　　　　　　　　　　　　　　　　　　　　　　　　　　　　　　　　　　　　　　　　　　　　　　　　　　　　　　　　　　　　」
キ　「図３
　　　　　　　　　　　　　　　　　　　　　　　　　　　　　　　　　　　　　　　　　　　　　　　　　　　　　　　　　　　　　　　」
ク　「図４
　　　　　　　　　　　　　　　　　　　　　　　　　　　　　　　　　　　　　　　　　　　　　　　　　　　　　　　　　　　　　　　」
ケ　「図５
　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　　」
　
コ　上記イの段落【００６１】には，「図１に示す半導体装置１は、アンテナ１０と、バッテリ１３と、論理回路１８と、センサ１９と、アナログメモリ２０と、ＡＤＣ（アナログデジタルコンバーター）２２と、を有している」ことが，また，段落【００８１】には，「図２に示す半導体装置１は、図１に示す半導体装置１に、整流回路１１と、定電圧回路１２と、発振回路１４と、発振回路１５と、クロック制御回路１６と、電源制御回路１７と、復調回路２３と、変調回路２４と、を追加したものである」ことが，さらに，上記エの段落【０１４９】には，「図４に示す半導体装置２は、図２に示す半導体装置１にデジタルメモリ２１を追加したものである」ことが，そして，上記オの段落【０１６４】には，“心拍数や脈拍などの生体情報を半導体装置を用いて測定を行えば，データをまとめて読み出すときだけ，リーダーを用意すれば良い”ことが記載されている。
　してみると，引用文献１には，図４の「半導体装置２」として，“アンテナ１０と，バッテリ１３と，論理回路１８と，センサ１９と，アナログメモリ２０と，デジタルメモリ２１と，ＡＤＣ（アナログデジタルコンバーター）２２と，整流回路１１と，定電圧回路１２と，発振回路１４と，発振回路１５と，クロック制御回路１６と，電源制御回路１７と，復調回路２３と，変調回路２４と，を有している，心拍数や脈拍などの生体情報の測定を行い，データをまとめて読み出すときだけリーダーを用意すれば良い半導体装置２”が記載されているといえる。
サ　上記イの段落【００６２】及び【００６３】には，“アンテナ１０は，無線信号を電気信号に，または電気信号を無線信号にして，リーダーと信号の送受信を行う機能を有し，無線信号の周波数帯としては，９００ＭＨｚ帯のＵＨＦ帯を用いることができ”ることが記載されている。
　　　
シ　上記イの段落【００６５】には，“バッテリ１３は，電圧ＶＤＤにより充電され，電圧ＶＢＡＴとして放電する機能を有し，電圧ＶＢＡＴが，半導体装置２が有する各回路に供給され”ることが記載されている。
ス　上記イの段落【００６６】には，“センサ１９は，感知したデータを信号ＳＳＮＳとして出力する機能を有し，信号ＳＳＮＳはアナログデータであ”ることが記載されている。
セ　上記イの段落【００６７】には，「アナログメモリ２０は、センサ１９が感知したアナログデータを記憶し、信号ＳＡＭとして出力する機能を有する」ことが記載されている。
ソ　上記エの段落【０１５１】には，「デジタルメモリ２１は、センサ１９がセンシングを行った時刻を、デジタルデータ（時刻データ）として記憶する機能を有する」ことが記載されている。
タ　上記イの段落【００６８】には，「ＡＤＣ２２は、アナログメモリ２０に記憶されたアナログデータを、デジタルデータに変換し、信号ＳＡＤＣとして出力する機能を有する」ことが記載されている。
チ　上記イの段落【００６９】には，“論理回路１８は，半導体装置１が有する各回路を制御する機能を有し，また，無線信号ＲＦに含まれるコマンドを実行する機能，ＡＤＣ２２から信号ＳＡＤＣを受け取り，アンテナ１０に出力する機能などを有”することが記載されている。
ツ　上記イの段落【００８６】には，“発振回路１４は，クロック信号ＣＬＫ１を生成する機能を有し，電圧ＶＤＤによって駆動され，また，リングオシレータ―でクロック信号ＣＬＫ１を生成するものであ”ることが記載されている。
テ　上記イの段落【００８７】には，“発振回路１５は，クロック信号ＣＬＫ２を生成する機能を有し，電圧ＶＤＤまたは電圧ＶＢＡＴによって駆動され，また，リングオシレータ―でクロック信号ＣＬＫ２を生成するものであ”ることが記載されている。
ト　上記イの段落【００９２】には，“復調回路２３は，アンテナ１０からの電気信号を復調する機能を有する回路であって，復調された信号は，論理回路１８に出力され”ることが記載されている。
ナ　上記イの段落【００９３】には，“変調回路２４は，論理回路１８で生成された信号に基づいて，電気信号を変調する機能を有する回路であって，変調された電気信号は，搬送波によって，アンテナ１０を介して無線信号ＲＦとして送信されるものであ”ることが記載されている。
ニ　上記ウの段落【００９５】には，「図３は、半導体装置１の動作例を示したタイミングチャートである」ことが，さらに，段落【００９７】及び【００９８】には，「図３に示す時刻Ｔ１乃至Ｔ１３は、動作のタイミングを示すために付したものである」こと，「また、時刻Ｔ１乃至Ｔ２で表される期間を期間Ｐ１とし、時刻Ｔ２乃至Ｔ７で表される期間を期間Ｐ２とし、時刻Ｔ７乃至Ｔ１３で表される期間を期間Ｐ３とした」ことが記載されている。
　また，上記オの段落【０１５４】ないし【０１５９】には，“図５は半導体装置２のタイミングチャートであって，図３の半導体装置１のタイミングチャートに，デジタルメモリのアドレスＤＭ［０］及びＤＭ［１］の電位を追加したものであって，デジタルメモリ以外のタイミングチャートは図３のタイミングチャートを参照すればよい”ことが記載されている。
　してみると，引用文献１の図５には，“時刻Ｔ１ないしＴ２で表される期間を期間Ｐ１とし，時刻Ｔ２ないしＴ７で表される期間を期間Ｐ２とし，時刻Ｔ７ないしＴ１３で表される期間を期間Ｐ３とした際の半導体装置２の動作のタイミングチャート”が記載されているといえる。
　
ヌ　そして，上記ウの段落【００９９】，【０１００】，図３（上記キ）より図５（上記ク）には，“期間Ｐ１において，半導体装置２は，無線信号ＲＦが供給され，半導体装置２の各回路は，定電圧回路１２で生成された電圧ＶＤＤで駆動され，半導体装置２の各回路は，発振回路１４で生成されたクロック信号ＣＬＫ１が与えられるものであ“ることが記載されているといえる。
ネ　また，上記ウの段落【０１０２】，図３（上記キ）より図５（上記ク）には，“期間Ｐ２において，半導体装置２の各回路は，バッテリ１３で生成された電圧ＶＢＡＴで駆動され，半導体装置２の各回路は，発振回路１５で生成されたクロック信号ＣＬＫ２が与えられ，クロック信号ＣＬＫ２はクロック信号ＣＬＫ１と比べて周波数が低く，半導体装置２は，低消費電力で駆動され，バッテリ１３の電力を節約することが可能になるものであ”ることが記載されているといえる。さらに，段落【０１１６】ないし【０１１９】，段落【０１２３】ないし【０１２６】，図３（上記キ）より図５（上記ク）には，“期間Ｐ２における時刻Ｔ３〜Ｔ４及びＴ５〜Ｔ６の期間において，半導体装置２は，センサ１９によるセンシングを行い，取得したデータをアナログメモリ２０に格納する”ことが記載されているといえる。また，段落【０１５６】，【０１５７】，図５（上記ク）によれば，“期間Ｐ２における時刻Ｔ３〜Ｔ４及びＴ５〜Ｔ６の期間において，半導体装置２は，センシングを行った時刻データをデジタルメモリ２１に格納する”ことが記載されている。
　してみると，引用文献２には，“期間Ｐ２における時刻Ｔ３〜Ｔ４及びＴ５〜Ｔ６の期間において，半導体装置２は，センサ１９によるセンシングを行い，取得したデータをアナログメモリ２０に格納し，センシングを行った時刻をデジタルメモリ２１に格納し，また，半導体装置２の各回路は，バッテリ１３で生成された電圧ＶＢＡＴで駆動され，半導体装置２の各回路は，発振回路１５で生成されたクロック信号ＣＬＫ２が与えられ，クロック信号ＣＬＫ２はクロック信号ＣＬＫ１と比べて周波数が低く，半導体装置２は，低消費電力で駆動され，バッテリ１３の電力を節約することが可能になるものであ”ることが記載されているといえる。
ノ　さらに，上記ウの段落【０１０３】，【０１０４】，【０１５８】，図３（上記キ）より図５（上記ク）には，“期間Ｐ３において，半導体装置２は再び無線信号ＲＦが供給され，この時，半導体装置２は，デジタルメモリ２１に書き込まれたデータとともに，アナログメモリ２０に格納したデータをＡＤＣ２２によってデジタルデータに変換し，搬送波に乗せて無線信号ＲＦとして送信し，また，半導体装置２の各回路は，定電圧回路１２で生成された電圧ＶＤＤで駆動され，また，半導体装置２の各回路は，発振回路１４で生成されたクロック信号ＣＬＫ１が与えられ，クロック信号ＣＬＫ１はクロック信号ＣＬＫ２と比べて周波数が高いため，半導体装置２は，ＡＤＣ２２のように高速動作が必要な回路を駆動することが可能になる”ことが記載されているといえる。　　
　　　
（２）以上アないしノの記載から，図４の半導体装置２に注目すると，引用文献１には，次のとおりの発明（以下，「引用発明」という。）が記載されていると認められる。
　　　
「アンテナ１０と，バッテリ１３と，論理回路１８と，センサ１９と，アナログメモリ２０と，デジタルメモリ２１と，ＡＤＣ（アナログデジタルコンバーター）２２と，整流回路１１と，定電圧回路１２と，発振回路１４と，発振回路１５と，クロック制御回路１６と，電源制御回路１７と，復調回路２３と，変調回路２４と，を有している，心拍数や脈拍などの生体情報の測定を行い，データをまとめて読み出すときだけリーダーを用意すれば良い半導体装置２において，
　アンテナ１０は，無線信号を電気信号に，または電気信号を無線信号にして，リーダーと信号の送受信を行う機能を有し，無線信号の周波数帯としては，９００ＭＨｚ帯のＵＨＦ帯を用いることができ，
　バッテリ１３は，電圧ＶＤＤにより充電され，電圧ＶＢＡＴとして放電する機能を有し，電圧ＶＢＡＴが，半導体装置２が有する各回路に供給され，
　センサ１９は，感知したデータを信号ＳＳＮＳとして出力する機能を有し，信号ＳＳＮＳはアナログデータであり，
　アナログメモリ２０は，センサ１９が感知したアナログデータを記憶し，信号ＳＡＭとして出力する機能を有し，
　デジタルメモリ２１は，センサ１９がセンシングを行った時刻を，デジタルデータ（時刻データ）として記憶する機能を有し，
　ＡＤＣ２２は，アナログメモリ２０に記憶されたアナログデータを，デジタルデータに変換し，信号ＳＡＤＣとして出力する機能を有し，
　論理回路１８は，半導体装置１が有する各回路を制御する機能を有し，また，無線信号ＲＦに含まれるコマンドを実行する機能，ＡＤＣ２２から信号ＳＡＤＣを受け取り，アンテナ１０に出力する機能などを有し，
　発振回路１４は，クロック信号ＣＬＫ１を生成する機能を有し，電圧ＶＤＤによって駆動され，また，リングオシレータ―でクロック信号ＣＬＫ１を生成するものであり，
　発振回路１５は，クロック信号ＣＬＫ２を生成する機能を有し，電圧ＶＤＤまたは電圧ＶＢＡＴによって駆動され，また，リングオシレータ―でクロック信号ＣＬＫ２を生成するものであり，
　復調回路２３は，アンテナ１０からの電気信号を復調する機能を有する回路であって，復調された信号は，論理回路１８に出力され，
　変調回路２４は，論理回路１８で生成された信号に基づいて，電気信号を変調する機能を有する回路であって，変調された電気信号は，搬送波によって，アンテナ１０を介して無線信号ＲＦとして送信されるものであって，
　時刻Ｔ１ないしＴ２で表される期間を期間Ｐ１とし，時刻Ｔ２ないしＴ７で表される期間を期間Ｐ２とし，時刻Ｔ７ないしＴ１３で表される期間を期間Ｐ３とした際に，
　期間Ｐ１において，半導体装置２は，無線信号ＲＦが供給され，半導体装置２の各回路は，定電圧回路１２で生成された電圧ＶＤＤで駆動され，半導体装置２の各回路は，発振回路１４で生成されたクロック信号ＣＬＫ１が与えられるものであり，
　期間Ｐ２における時刻Ｔ３〜Ｔ４及びＴ５〜Ｔ６の期間において，半導体装置２は，センサ１９によるセンシングを行い，取得したデータをアナログメモリ２０に格納し，センシングを行った時刻をデジタルメモリ２１に格納し，また，半導体装置２の各回路は，バッテリ１３で生成された電圧ＶＢＡＴで駆動され，半導体装置２の各回路は，発振回路１５で生成されたクロック信号ＣＬＫ２が与えられ，クロック信号ＣＬＫ２はクロック信号ＣＬＫ１と比べて周波数が低く，半導体装置２は，低消費電力で駆動され，バッテリ１３の電力を節約することが可能になるものであり， 
　期間Ｐ３において，半導体装置２は再び無線信号ＲＦが供給され，この時，半導体装置２は，デジタルメモリ２１に書き込まれたデータとともに，アナログメモリ２０に格納したデータをＡＤＣ２２によってデジタルデータに変換し，搬送波に乗せて無線信号ＲＦとして送信し，また，半導体装置２の各回路は，定電圧回路１２で生成された電圧ＶＤＤで駆動され，また，半導体装置２の各回路は，発振回路１４で生成されたクロック信号ＣＬＫ１が与えられ，クロック信号ＣＬＫ１はクロック信号ＣＬＫ２と比べて周波数が高いため，半導体装置２は，ＡＤＣ２２のように高速動作が必要な回路を駆動することが可能になる，
　半導体装置２。」
　　　
２　引用文献２
　本願の優先日前に頒布又は電気通信回線を通じて公衆に利用可能となり，原査定の拒絶の理由で引用された，特表２０１２−５０３３５４号公報（以下，「引用文献２」という。）には，図面とともに以下の事項が記載されている。　　　
　　　
ア　「【００３１】
　本発明の様々な実施形態は、トランスファージェット回路とＮＦＣ回路との双方を用いて他の近接して位置する通信デバイスと通信するように構成された、電子無線通信デバイスに向けられている。トランスファージェットは、モバイル電話、デジタルカメラ、デジタルビデオカメラ／レコーダ、コンピュータ、データ格納ドライブ、及びテレビのうちの少なくとも１つのような電子デバイス間で大きなデータを高速転送することを可能とするために、もともとはソニーコーポレーションによって開発された、密接近接無線転送技術である。
トランスファージェット技術を用いることで、例えば５６０Ｍｂｐｓまでの速度で、又はエラー訂正プロトコルのオーバヘッドを伴うと３７５Ｍｂｐｓの実効送信レートで、データは送信されうる
イ　「図１
　　　　　　　　　　　　　　　　　　　　　　　　　　　」
　　　
　　　
第５　対比
　本願発明と引用発明とを対比する。
１　引用発明の「リーダー」は，「半導体装置２」の「データをまとめて読み出す」ものであるから，本願発明の「読取り機器（３、３’）」に相当する。
　そして，引用発明の「半導体装置２」は，「心拍数や脈拍などの生体情報の測定を行」うものであり，人などの移動する対象物に装着されることを意図されたものといえる。さらに，「半導体装置２」は，「リーダー」によって「データをまとめて読み出」されるものであり，「リーダー」の近傍で情報を送信するように設計されたものと認められる。また，「リーダー」によって「データ」が「読み出」される際には，通常，「リーダー」から何らかの問合せ信号が送られ，それに応答して「半導体装置２」は「データ」を送信するものであるから，トランスポンダに基づくモジュールといえる。
　したがって，引用発明の「半導体装置２」は，本願発明の「読取り機器（３、３’）により送信され、トランスポンダに基づくモジュール（２）により受信される問合せ信号に基づき、移動する対象物（１０）に装着されることを意図され、前記読取り機器（３、３’）の近傍で情報を送信するように設計された前記トランスポンダに基づくモジュール（２）」に相当する。
　 
２　引用発明の「半導体装置２」の「バッテリ１３」は，「電圧ＶＢＡＴ」を「半導体装置２が有する各回路に供給」するものであるから，本願発明の「前記トランスポンダに基づくモジュール（２）の電力供給のためにエネルギーを提供するための少なくとも１つのエネルギー源（４）」に相当する。　
３　引用発明の「心拍数や脈拍」は，本願発明の「少なくとも１つの物理的パラメータ」に相当する。
　そして，引用発明の「半導体装置２」の「センサ１９」は，「心拍数や脈拍などの生体情報の測定を行」っているものと認められることから，引用発明の「センサ１９」は，本願発明の「少なくとも１つの物理的パラメータの１つまたは複数の測定を遂行するための少なくとも１つのセンサ（５）」に相当する。
４　引用発明の「半導体装置２」の「論理回路１８」は，「半導体装置２が有する各回路を制御する」ものであり，「センサ１９」にも連結されているものと認められることから，引用発明の「論理回路１８」と，本願発明の「前記センサ（５）の１つまたは複数の測定値を受信するために前記センサ（５）に連結されたマイクロコントローラ（２２）」とは，後記の点で相違するものの，“前記センサに連結されたマイクロコントローラ”の点では共通する。
　
５　引用発明の「半導体装置２」の「アナログメモリ２０」及び「デジタルメモリ２１」は，本願発明の「メモリユニット」に対応するものであるところ，各々，「センサ１９が感知したアナログデータ」及び「センサ１９がセンシングを行った時刻」を記憶するものである。　　　　　
　そして，引用発明の「センサ１９が感知したアナログデータ」及び「センサ１９がセンシングを行った時刻」は，「センサ１９」の測定の遂行によって生じたデータである。また，通常，「センサ１９が感知した」生のデータ及び「時刻」をそのまま「アナログメモリ２０」及び「デジタルメモリ２１」に記憶することはできないことから，記憶されるデータは何らかの処理がされているものと認められる。してみると，引用発明の「センサ１９が感知したアナログデータ」及び「センサ１９がセンシングを行った時刻」と，本願発明の「前記センサ（５）により遂行され、かつ記憶するために前記マイクロコントローラ（２２）で処理された、前記１つまたは複数の測定の測定データ」とは，後記の点で相違するものの，“前記センサにより遂行され，かつ処理された，前記１つまたは複数の測定の測定データ”の点で共通する。
　よって，引用発明の「アナログメモリ２０」及び「デジタルメモリ２１」と，本願発明の「前記センサ（５）により遂行され、かつ記憶するために前記マイクロコントローラ（２２）で処理された、前記１つまたは複数の測定の測定データを少なくとも１つのメモリに記憶するためのメモリユニット（２１）」とは，後記の点で相違するものの，“前記センサにより遂行され，かつ記憶するために処理された，前記１つまたは複数の測定の測定データを少なくとも１つのメモリに記憶するためのメモリユニット”の点で共通する。
６　引用発明の「半導体装置２」の「アンテナ１０」は，「無線信号を電気信号に，または電気信号を無線信号にして，リーダーと信号の送受信を行う機能を有」するものである。
　そして，引用発明の「半導体装置２」の「復調回路２３」は，「アンテナ１０からの電気信号を復調する機能を有する回路であ」って，また，上記１の点を踏まえると，「アンテナ１０」には，「半導体装置２」が「リーダー」の近傍に配置されたとき，前記「リーダ」から少なくとも１つの問合せの電気信号が入力されるものと認められることから，引用発明の「アンテナ１０」及び「復調回路２３」は，本願発明の「前記トランスポンダに基づくモジュール（２）が前記読取り機器（３、３’）の近傍に配置されたとき、前記読取り機器（３、３’）から少なくとも１つの問合せ信号を受信するように設計された受信機（２５）」に相当する。
７　引用発明の「アンテナ１０」は，「無線信号を電気信号に，または電気信号を無線信号にして，リーダーと信号の送受信を行う機能を有」するものである。
　そして，引用発明は「期間Ｐ３において，半導体装置２は再び無線信号ＲＦが供給され，この時，半導体装置２は，デジタルメモリ２１に書き込まれたデータとともに，アナログメモリ２０に格納したデータをＡＤＣ２２によってデジタルデータに変換し，搬送波に乗せて無線信号ＲＦとして送信」するものであって，ここで，引用発明の「半導体装置２」においては，「アナログメモリ２０に格納したデータをＡＤＣ２２によってデジタルデータに変換し」た「信号ＳＡＤＣ」は，「論理回路１８」に入力され，その後，「変調回路２４」で変調され，変調された電気信号が，「搬送波によって，アンテナ１０を介して無線信号ＲＦとして送信されるものであ」るから，上記１の点も踏まえると，引用発明の「アンテナ１０」及び「変調回路２４」は，本願発明の「前記読取り機器の前記問合せに基づき、記憶された前記測定データを送信するように設計された送信機（２３）」に相当する。
８　引用発明の「発振回路１５」は，「リングオシレータ―でクロック信号ＣＬＫ２を生成するものであ」って，また，「クロック信号ＣＬＫ２はクロック信号ＣＬＫ１と比べて周波数が低」いものであるから，本願発明の「リングタイプの発振器である低周波内部発振器」に相当する。
　そして，引用発明では「期間Ｐ２における時刻Ｔ３〜Ｔ４及びＴ５〜Ｔ６の期間において，半導体装置２は，センサ１９によるセンシングを行い，取得したデータをアナログメモリ２０に格納し，センシングを行った時刻をデジタルメモリ２１に格納し，また，半導体装置２の各回路は，バッテリ１３で生成された電圧ＶＢＡＴで駆動され，半導体装置２の各回路は，発振回路１５で生成されたクロック信号ＣＬＫ２が与えられ，クロック信号ＣＬＫ２はクロック信号ＣＬＫ１と比べて周波数が低く，半導体装置２は，低消費電力で駆動し，バッテリ１３の電力を節約することが可能になるものであ」り，引用発明は「期間Ｐ２における時刻Ｔ３〜Ｔ４及びＴ５〜Ｔ６の期間において」，時間をかけてセンサ１９が遂行する測定を統制するために，リングタイプの発振器である低周波内部発振器により論理回路１９を統制し，これらの測定値を，低電力モードで各測定値の時間の指示付きでアナログメモリ２０及びデジタルメモリ２１に記憶しているものといえる。
　したがって，引用発明の「期間Ｐ２における時刻Ｔ３〜Ｔ４及びＴ５〜Ｔ６の期間において，半導体装置２は，センサ１９によるセンシングを行い，取得したデータをアナログメモリ２０に格納し，センシングを行った時刻をデジタルメモリ２１に格納し，また，半導体装置２の各回路は，バッテリ１３で生成された電圧ＶＢＡＴで駆動され，半導体装置２の各回路は，発振回路１５で生成されたクロック信号ＣＬＫ２が与えられ，クロック信号ＣＬＫ２はクロック信号ＣＬＫ１と比べて周波数が低く，半導体装置２は，低消費電力で駆動し，バッテリ１３の電力を節約することが可能になるものであ」ると，本願発明の「前記センサ（５）が連続的に動作し、時間をかけて前記センサ（５）が遂行する前記測定を統制するために、ＲＣタイプまたはリングタイプの発振器である低周波内部発振器により前記マイクロコントローラ（２２）を統制し、これらの測定値を、低電力モードで各測定値の時間の指示付きで前記メモリユニット（２１）に記憶する」とは，後記の点で相違するものの，“時間をかけて前記センサが遂行する前記測定を統制するために，ＲＣタイプまたはリングタイプの発振器である低周波内部発振器により前記マイクロコントローラを統制し，これらの測定値を，低電力モードで各測定値の時間の指示付きで前記メモリユニットに記憶する”点では共通する。
９　引用発明は「期間Ｐ３において，半導体装置２は再び無線信号ＲＦが供給され，この時，半導体装置２は，デジタルメモリ２１に書き込まれたデータとともに，アナログメモリ２０に格納したデータをＡＤＣ２２によってデジタルデータに変換し，搬送波に乗せて無線信号ＲＦとして送信」するものであって，上記６及び７の点を踏まえると，この「送信」は，「リーダ」から少なくとも１つの問合せ信号に基づいて，「変調回路２４」及び「アンテナ１０」が行っているものと認められる。そして，引用発明の「アンテナ１０」は，「９００ＭＨｚ帯のＵＨＦ帯を用いることができ」るものであるから，この「送信」は，極超短波で送信しているといえる。
　してみると，引用発明の「期間Ｐ３において，半導体装置２は再び無線信号ＲＦが供給され，この時，半導体装置２は，デジタルメモリ２１に書き込まれたデータとともに，アナログメモリ２０に格納したデータをＡＤＣ２２によってデジタルデータに変換し，搬送波に乗せて無線信号ＲＦとして送信」すると，本願発明の「前記送信機（２３）は、近傍にある前記読取り機器の前記問合せ信号を前記受信機（２５）が受信した後に活動化されると、極超短波で、かつ非常に高いビットレートで、記憶された前記測定データの信号を送信するように設計される」とは，後記の点で相違するものの，“前記送信機は，近傍にある前記読取り機器の前記問合せ信号を前記受信機が受信した後に活動化されると，極超短波で，記憶された前記測定データの信号を送信するように設計される”点では共通する。
　　　
　上記の検討から，本願発明と引用発明との間には，次の一致点，相違点があるといえる。
　　　 
（一致点） 
「読取り機器により送信され，トランスポンダに基づくモジュールにより受信される問合せ信号に基づき，移動する対象物に装着されることを意図され，前記読取り機器の近傍で情報を送信するように設計された前記トランスポンダに基づくモジュールであって，
　前記トランスポンダに基づくモジュールの電力供給のためにエネルギーを提供するための少なくとも１つのエネルギー源と，
　少なくとも１つの物理的パラメータの１つまたは複数の測定を遂行するための少なくとも１つのセンサと，
　前記センサに連結されたマイクロコントローラと，
　前記センサにより遂行され，かつ記憶するために処理された，前記１つまたは複数の測定の測定データを少なくとも１つのメモリに記憶するためのメモリユニットと，
　前記トランスポンダに基づくモジュールが前記読取り機器の近傍に配置されたとき，前記読取り機器から少なくとも１つの問合せ信号を受信するように設計された受信機と，
　前記読取り機器の前記問合せに基づき，記憶された前記測定データを送信するように設計された送信機と
　を備え，
　時間をかけて前記センサが遂行する前記測定を統制するために，ＲＣタイプまたはリングタイプの発振器である低周波内部発振器により前記マイクロコントローラを統制し，これらの測定値を，低電力モードで各測定値の時間の指示付きで前記メモリユニットに記憶すること，および
　前記送信機は，近傍にある前記読取り機器の前記問合せ信号を前記受信機が受信した後に活動化されると，極超短波で，記憶された前記測定データの信号を送信するように設計されること
　を特徴とするトランスポンダに基づくモジュール。」
　　　 
（相違点１） 
　「マイクロコントローラ」が，本願発明では，「センサ（５）の１つまたは複数の測定値を受信するため」のものであって，「記憶するために前記マイクロコントローラ（２２）で処理」するものであるのに対して，引用発明では，「論理回路１８」に関してその旨の特定がされていない点。
（相違点２）
　「センサ」が，本願発明では，「連続的に動作」するものであるのに対して，引用発明では，連続的でない点。　 
　　 
（相違点３） 
　「送信機」が，本願発明では「非常に高いビットレートで」送信するのに対して，引用発明では，その旨の特定がされていない点。　　　
　　　
第６　判断 
　上記相違点について検討する。 
　　 
（相違点１）について 
　メモリに記憶するための処理をマイクロコントローラ側で行うようにすることは，当該技術分野において普通に行われていることであるから，引用発明においても，「アナログメモリ２０」及び「デジタルメモリ２１」に記憶される「センサ１９が感知したアナログデータ」及び「センサ１９がセンシングを行った時刻」の記憶のための処理を「論理回路１８」によって行い，上記相違点１に係る構成とすることは，当業者が容易に想到し得たことである。
　　　
（相違点２）について 
　心拍数や脈拍などの生体情報の測定は，連続的に行った方が好ましいことは明らかであって，そして，生体情報の測定を連続的に行うことは周知の技術（必要であれば，特開２０１４−１９５７１１号公報（特に，段落【００５１】等参照），特開２０１７−１２９５７２号公報（特に，段落【０２１８】等参照），特開２０１７−２９２３２号公報（特に，段落【００３１】等参照），等参照。）と認められる。
　してみれば，引用発明においても生体情報の測定を常時行うようにするすることで，上記相違点２に係る構成とすることは，当業者が容易に想到し得たことである。
（相違点３）について
　引用発明は，引用文献１の段落【００１０】に記載されるように消費電力の少ない半導体装置を提供することを課題の１つとするものであって，そして，引用発明の「期間Ｐ３」における「送信」を高速で行った方が消費電力を少なくできることは当業者にとって自明の事項である。
　一方，引用文献２には，非常に高いビットレートとすることで高速転送を可能とする技術が記載されている。
　また，引用発明，及び引用文献２の技術は，いずれも高周波を用いた無線通信技術に関するものである。
　してみれば，引用発明において消費電力を少なくするために，「期間Ｐ３」における「送信」を高速で行う手段として，引用文献２の技術を適用して非常に高いビットレートとすることで，上記相違点３に係る構成とすることは，当業者が容易に想到し得たことである。
　そして，本願発明の構成によってもたらされる効果も，当業者であれば容易に予測できる程度のものであって，格別なものとは認められない。
　　　
　　　
　第７　むすび
　　　
　以上のとおり，本願発明は，その優先日前に日本国内又は外国において，頒布された又は電気通信回線を通じて公衆に利用可能となった引用発明，引用文献２に記載された技術に基づいて，その優先日前にその発明の属する技術の分野における通常の知識を有する者が容易に発明をすることができたものであるから，特許法２９条２項の規定により特許を受けることができない。
　したがって，他の請求項に係る発明について検討するまでもなく，本願は拒絶すべきものである。
　よって，結論のとおり審決する。